(57)【要約】【課題】羽毛布団を、より健康的で扱い易い製品とする。【解決手段】羽毛として、水鳥の羽毛ダウン４０重量％以上を使用した羽毛布団において、羽毛ダウンにマイナスイオン放射性鉱石の水抽出液を付着させて、マイナスイオン効果を有する羽毛布団とした。マイナスイオン放射性鉱石の水抽出液は、放射線稀有元素鉱物として知られる例えばサマルスキー石、ゼノタイム、変種ジルコン、トロゴム石、ヘエルゴソン石、モザナイト、バストネサイトなどの粉末を水に１０重量％以上、例えば１０〜３０％程度の割合で分散させ、一定期間放置して得られるものであり、この水分散液がそのまま使用されてもよいが、その上澄液又は濾液を使用するのがよい。【選択図】　なし【特許請求の範囲】
【請求項１】
羽毛として、水鳥の羽毛ダウン４０重量％以上を使用した羽毛布団であって、羽毛ダウンにマイナスイオン放射性鉱石の水抽出液が付着していることを特徴とする羽毛布団。
【請求項２】
羽毛として、羽毛ダウンとスモールフェザーをブレンドして使用していることを特徴とする請求項１の羽毛布団。
【請求項３】
前記布団が掛布団であり、掛布団において、１０００〜１２０００個／ｃｃのマイナスイオン放射性を有することを特徴とする請求項１又は２の羽毛布団。
【請求項４】
前記羽毛を覆う布帛として、備長炭などの活性炭微粉末を含浸処理した布帛を使用することを特徴とする請求項１〜３いずれか１項の羽毛布団。
【発明の詳細な説明】
【０００１】
【発明の属する技術分野】
本発明は、羽毛布団の改良に関するものである。
【０００２】
【従来の技術】
羽毛布団は、水鳥羽毛でできているため、冬の間は暖かく、夏涼しく、しかも長期間使用しても、へたりを生じないという長所がある。これに対して、合繊布団や羊毛布団という商品もあるが、これらは、へたりを生じ易く、長期間使用すると、３０〜４０％もへたる（厚さ方向に圧縮される）ことはある。
【０００３】
このように、羽毛布団、特にダウン４０％以上の羽毛布団は、ダウン１個１個、又は一枚一枚が、断熱性及び形状安定性を有するため、他では得られない特徴を有するものとなる。しかし、夏に入る前の５〜６月、日本の気候は、湿気が大変多く、羽毛の持っている臭いが出てくることがある。
羽毛布団は、商品構成として羽毛ダウンが出てこなくするため、通気度３シグマが、基準になっており、また、マス目も、たて５マス、よこ４マスが中心となっている。
【０００４】
別途、布帛を、マイナスイオン放射性無機物で処理することは、例えば特許文献１で知られているが、処理布を静置した状態では、マイナスイオンの実質的な発生を期待することができないため、該処理布を布団に使用しても、就寝中に充分なマイナスイオン効果を得ることはできなかった。
【０００５】
【特許文献１】
特開平１０−１９５７６４号公報
【０００６】
【発明が解決しようとする課題】
本発明は、かかる羽毛布団を、より健康的で扱い易い製品とすることを課題とする。
【０００７】
【課題を解決するための手段】
本発明では、羽毛として、水鳥の羽毛ダウン４０重量％以上を使用した羽毛布団において、羽毛ダウンにマイナスイオン放射性鉱石の水抽出液を付着させることによって、上記課題を解決した。
【０００８】
羽毛ダウンに付着するマイナスイオン放射性鉱石の水抽出液は、放射線稀有元素鉱物として知られる例えばサマルスキー石、ゼノタイム、変種ジルコン、トロゴム石、ヘエルゴソン石、モザナイト、バストネサイトなどの粉末を水に１０重量％以上、例えば１０〜３０％程度の割合で分散させ、一定期間放置して得られるものであり、この水分散液がそのまま使用されてもよいが、助剤（アミノ酸等）を５〜１０重量％添加混合し、その上澄液又は濾液を使用するのがよい。
【０００９】
羽毛は、かかるマイナスイオン放射性鉱石の水抽出液に浸漬して、羽毛全体に該水抽出液を十分付着させた後、乾燥して使用する。
羽毛ダウン等、羽毛は吸水性が多分にあるため、羽毛の中にマイナスイオン効果の水分が取り入れられ、その結果、羽毛がマイナスイオン効果を有するものとなる。
【００１０】
処理した羽毛は、羽毛布団の圧縮や加圧等に対して復元しようとする時に、極細の羽毛同士が擦れ合いマイナスイオンを発生することとなり、布団に効率のよいマイナスイオン効果を付与することとなる。
【００１１】
なお、本発明の羽毛布団において、羽毛としては、羽毛ダウンをスモールフェザーと併用してもよく、この場合、スモールフェザーもマイナスイオン放射性鉱石の水抽出液で処理されるのが好ましい。
また、布団は掛布団として、１０００〜１２０００個／ｃｃのマイナスイオン放射性を有するものとするのが好ましい。マイナスイオン放射性は、アンデス電気株式会社のアンデス空気イオンカウンター器にて、一定時間羽毛布団に加圧を繰り返し平均値を測定する（加圧により、布団内部の羽毛が互いに摩擦し合いマイナスイオンを発生する）。
【００１２】
更に、本発明の羽毛布団は、羽毛を覆う布として、備長炭などの活性炭微粉末を含浸処理した布帛を使用してもよい。
活性炭粉末を付着した布帛は、遠赤外線効果を発揮するだけでなく、抗菌性や消臭性にも優れ、更に、それで覆う羽毛に含まれるマイナスイオン放射性鉱石の水抽出物との相乗効果によって、非常に効率よく、持続性を有する状態で、マイナスイオンを発する布団を得ることが可能となる。
【００１３】
【発明の実施の形態】
次に、本発明を実施例に基づいて更に詳しく説明する。
実施例１
マイナスイオン放射性鉱石（キュアパール：貴陽石）の微粉末を水に、重量比率で３：７の割合で混入し、３日間寝かせた後、該水性液を濾過し、濾液（前記鉱石の抽出液）を得た。
この抽出液に、羽毛（羽毛ダウン９０重量％とスモールフェザー１０重量％の混合物）を投入し、１〜３時間攪拌した後、取り出し、乾燥した。
【００１４】
このようにして、マイナスイオン加工した羽毛を、掛け布団用のたて５マス、よこ４マス、通気度３シグマの外地の中に吹き込み、羽毛掛け布団（１．４ｋｇ）を製造した。
【００１５】
比較例１
マイナスイオン加工していない羽毛（羽毛ダウン９０重量％とスモールフェザー１０重量％の混合物）を用いて、実施例１と同様の羽毛掛け布団（１．４ｋｇ）を製造した。
【００１６】
実施例１と比較例１で作成した各５枚の布団を用い、５人のパネラーに実使用試験を１ヶ月間行った後、各パネラーに、布団の、軽量性、保温性、快適性及びめざめ感を、５段階評価（５：非常によい、４：よい、３：普通、２：悪い、１：非常に悪い）してもらった。この評価の平均値を次表に示す。
【００１７】
（表１）
．　　　　　実施例１　比較例１
軽量性　　　　５　　　　５
保温性　　　　５　　　　５
快適性　　　　５　　　　３
めざめ感　　　５　　　　３
【００１８】
表１に示すように、本発明に従った実施例１の製品に対する評価が高いものであった。マイナスイオン加工した羽毛の使用により、自然を暮らしに取り入れ、寝床内気候を自然と同様にする効果がある。
【００１９】
なお、実施例１の布団の製造において、備長炭微粉末を付着させ、染色した木綿の布帛を外地に使用したところ、該布帛が遠赤外線を放射し、更に抗菌性や消臭性にも優れ、その結果、該布帛で覆う羽毛に含まれるマイナスイオン放射性鉱石の水抽出物との相乗効果によって、非常に効率よく、持続性ある状態で、マイナスイオンを発する布団を得ることができた。
【００２０】
【発明の効果】
上記のように、本発明の羽毛布団は、マイナスイオン加工した羽毛を使用するため、従来の羽毛掛け布団より、快適性やめざめ感に非常に優れており、その使用により、自然の中で眠る感覚となり、非常に心地よい気持ちのめざめ感を得ることができる。
これは、マイナスイオン特有の効果、疲労回復、神経安定、血液浄化、自律神経調整の効果の効果によるものと思われる。
羽毛布団の場合、それを使用した睡眠中に、自然に布団が動き、中でマイナスイオン加工した羽毛が摩擦されるので、非常に効率のよい、マイナスイオンの発生が期待できるのである。